(57)【要約】  【課題】    犬、猫等の動物の健康維持に寄与する動物用栄養補助食品を提供する。  【解決手段】田七人参根末（例えば５重量％）を含有させる。更に、ラカンカ（例えば５重量％）を含有させる。  また、犬用の場合には、その田七人参根末、或いは田七人参根末とラカンカに対して、更にイワシ末（２５重量％）を加え、或いは、また更に、カツオ節末（１０重量％）をも加える。  猫用の場合には、その田七人参根末、或いは田七人参根末とラカンカに対して、更にカツオ節末（２０重量％）を加え、或いは、また更に、イワシ末（２０重量％）をも加える。【特許請求の範囲】
【請求項１】
田七人参根を含有する
ことを特徴とする動物用栄養補助食品。
【請求項２】
イワシ末を含有させて犬用にした
ことを特徴とする請求項１記載の動物用栄養補助食品。
【請求項３】
カツオ末を含有する
ことを特徴とする請求項２記載の動物用栄養補助食品。
【請求項４】
カツオ末を含有させて猫用にした
ことを特徴とする請求項１記載の動物用栄養補助食品。
【請求項５】
イワシ末を含有する
ことを特徴とする請求項４記載の動物用栄養補助食品。
【請求項６】
ラカンカを含有する
ことを特徴とする請求項１、２、３、４又は５記載の動物用栄養補助食品。
【発明の詳細な説明】
【技術分野】
【０００１】
本発明は、動物用栄養補助食品、主として犬或いは猫等のペット用の栄養補助食品に関する。
【背景技術】
【０００２】
栄養補助食品は、近年の自然環境の悪化や、化学肥料、農薬を使った食物栽培法による野菜、穀物の摂取によって生じる食生活のひずみによる悪影響を是正するものとして日常的に摂取する人が最近増えており、「サプリメント」と称して親しまれつつある。
【特許文献１】特開２００３−２８９８２９号公報
【発明の開示】
【発明が解決しようとする課題】
【０００３】
ところで、栄養補助食品は従来においては人を対象とするものがほとんどであり、犬や猫等のペットを対象とするものは皆無であった。
しかし、近年の自然環境の悪化や、化学肥料、農薬を使った栽培法による野菜、穀物の摂取によって生じる食生活のひずみによる悪影響を受けるのは、人間だけではなく、犬や猫等のペットもかかる食生活のひずみによる悪影響を受けるのである。
【０００４】
また、犬、猫等のペットは放し飼いにすると近隣に迷惑をかけること等から、一戸建て住宅、マンションの一室等に居住空間、活動空間が限定されて、人以上にストレスや運動不足が深刻である。
そのため、犬、猫等のペットに、消化器系疾患、皮膚疾患、便通不全、排泄異常及びカルシウム不足等に悩まされるものが増えている。
【０００５】
これは、普通のペット用食品、いわゆるペットフード等の摂取だけでは犬、猫等のペットの健康を維持することが困難となりつつあるということに他ならない。
しかるに、上述したように、犬や猫等のペットを対象とするものは皆無であったので、ペットを家族の一員のように愛する人によってペットフードの不完全性を補う食品、即ち、ペット用の栄養補助食品が要請されるに至っていた。
【０００６】
そこで、本願発明者は、便通不全や排泄異常、皮膚病、運動不足等による骨の弱化等に悩む犬、猫等のペットに、田七人参根を含有した餌を与えてみた。すると、これらの疾患が顕著に軽減した。そこで、更に、それ以外に種々の食材、例えばイワシ末、カツオ末、ラカンカ（羅漢果）等を加え臨床実験してより疾患軽減効果を高めることを模索をした。
本発明はこのような本願発明者の努力の結果として生まれたものであり、犬、猫等の動物の健康維持に寄与する栄養補助食品を提供することを目的とする。
【課題を解決するための手段】
【０００７】
請求項１の動物用栄養補助食品は、田七人参根を含有することを特徴とする。
請求項２の動物用栄養補助食品は、請求項１記載の動物用栄養補助食品において、イワシ末を含有させて犬用にしたことを特徴とする。
請求項３の動物用栄養補助食品は、請求項２記載の動物用栄養補助食品において、カツオ末を含有することを特徴とする。
【０００８】
請求項４の動物用栄養補助食品は、請求項１記載の動物用栄養補助食品において、カツオ末を含有させて猫用にしたことを特徴とする。
請求項５の動物用栄養補助食品は、請求項４記載の動物用栄養補助食品において、イワシ末を含有させたことを特徴とする。
請求項６の動物用栄養補助食品は、請求項１、２、３、４又は５記載の動物用栄養補助食品において、ラカンカを含有することを特徴とする。
【発明の効果】
【０００９】
請求項１の動物用栄養補助食品によれば、田七人参根を含有するので、それに含まれる人参サポニンによって抗ガン作用、血液浄化、皮膚病治癒効果、便通改善効果を得ることができる。
請求項２の動物用栄養補助食品によれば、請求項２記載の動物用栄養補助食品において、イワシ末を含有させたので、犬に対する栄養補強効果が強く、犬用として好適である。特に、イワシ末に含まれるカルシウムにより骨を強化し、更に精神的安定性を高め、耐ストレス性を向上させることができる。
請求項３の動物用栄養補助食品は、請求項２記載の動物用栄養補助食品において、カツオ末を含有させたので、犬に対する栄養補強効果より強くすることができる。特に、カツオ末に含まれるカルシウムにより骨をより一層強化し、更に精神的安定性を高め、耐ストレス性をより一層向上させることができる。
【００１０】
請求項４の動物用栄養補助食品によれば、請求項１記載の動物用栄養補助食品において、カツオ末を含有させたので、猫に対する栄養補強効果が強く、猫用として好適である。特に、カツオ末に含まれるカルシウムにより骨を強化し、更に精神的安定性を高め、耐ストレス性を向上させることができる。
請求項５の動物用栄養補助食品によれば、請求項４記載の動物用栄養補助食品において、イワシ末を含有させたので、猫に対する栄養補強効果をより一層強くすることができる。特に、イワシ末に含まれるカルシウムにより骨をより一層強化し、更に精神的安定性を高め、耐ストレス性をより一層向上させることができる。
請求項６の動物用栄養補助食品によれば、請求項１、２、３、４又は５記載の動物用栄養補助食品において、ラカンカを含有させたので、糖尿病治癒或いは予防効果を得ることができる。
【発明を実施するための最良の形態】
【００１１】
本発明は、基本的には、少なくとも田七人参根を含有するものであるが、それにイワシ末を加えることにより犬により有効に栄養補強効果が得られるようにすることができ、犬の食欲をもそそる。更に、カツオ末を加えることによりその栄養補強効果をより強めることができる。また、このイワシ末やカツオ末は、そのカルシウム成分が犬の骨の強化に極めて有効である。
また、田七人参根を含有するものにカツオ末を加えることにより猫により有効に栄養補強効果が得られるようにすることができ、猫の食欲もそそる。更に、イワシ末を加えることによりその栄養補強効果をより強めることができる。また、このイワシ末やカツオ末は、そのカルシウム成分が猫の骨の強化に極めて有効である。
【００１２】
そして、各動物用栄養補助食品においては、ラカンカを加えることにより糖尿病治癒或いは予防効果を得ることもできる。
因みに、犬用に特化した動物用栄養補助食品として最良の形態は、動物用栄養補助食品（例えば５０ｇを販売単位とする。）の田七人参根が５重量％、ラカンカ（羅漢果）が５重量％、イワシ末が２５重量％、カツオ節末が１０重量％含有したものに水分、植物繊維等を混ぜたものであることが確認されている。
また、猫用に特化した動物用栄養補助食品として最良の形態は、動物用栄養補助食品（例えば５０ｇ）の田七人参根が５重量％、ラカンカ（羅漢果）が５重量％、カツオ節末が２０重量％、イワシ末が２０重量％を含有したものに水分、植物繊維等を混ぜたものであることが確認されている。
【実施例１】
【００１３】
以下、本発明を実施例に従って詳細に説明する。
本発明の第１の実施例は、犬用の動物用栄養補助食品（販売単位が例えば５０ｇ）であって、田七人参根末が５重量％、ラカンカ（羅漢果）が５重量％、イワシ末が２５重量％、カツオ節末が１０重量％含有し、これ等に水分、植物繊維等を混ぜたものである。
下記の表１は、その動物用栄養補助食品に用いた田七人参根（平成１１年５月２６日提出）の日本食品分析センターの分析試験による分析試験結果を記した分析試験成績書[第102073361-001号 2002年(平成14年）8月9日]を示すものである。
【００１４】
【表１】
2005204566.tif 000002
【００１５】
以下に上記表１中の注１〜注４の内容を示す。
注１．窒素・たんぱく質換算係数：６．２５
注２．栄養表示基準（平成８年厚生省告示第１４６号）による計算式：１００        −（水分＋たんぱく質＋脂質＋灰分＋植物繊維）
注３．栄養表示基準（平成８年厚生省告示第１４６号）によるエネルギー換算        係数：たんぱく質，４：脂質，９：糖質，４
注４．ＡＤＡＣ法によった。
【００１６】
このような動物用栄養補助食品は、犬の種類、大きさによって異なるが、概ね、毎食時専用スプーン一杯位与え続けると、一月５０ｇ消費され、それが一般的に適量と言える。
そのように与えたら、抗ガン作用、血液浄化、皮膚病治癒効果、便通改善効果を得ることができた。これは、人参サポニン（ジンセノサイドＲｂ１換算５．０ｇ／１００ｇ、ジンセノサイドＲｇ１換算５．０ｇ／１００ｇ、合計１０．０ｇ／１００ｇ）によることが明白である。 
【００１７】
そして、イワシ末（２５重量％）を含有させたので、犬に対する栄養補強効果が強く、また、犬の食欲をそそるので、犬用として好適である。更に、カツオ節末（１０重量％）を含有させたので、犬に対する栄養補強効果より強くすることができた。具体的には、そのイワシ末や、カツオ節末中に含まれるカルシウムにより骨を強化することができた。
また、ラカンカ[（羅漢果）５重量％]を含有させたので、糖尿病治癒或いは予防効果を得ることができた。
【００１８】
尚、下記の表２は田七人参根末（粉末）とイワシ末とラカンカ（羅漢果）を混ぜたもの（平成１５年３月１１日提出）の日本食品分析センターの分析試験による分析試験結果を記した分析試験成績書[第202021622-002号 2003年(平成15年）5月20日]を示すものである。第１の実施例の犬用の栄養補助食品とは、カツオ節末が入っていない点では異なるが、それ以外では共通する。
【００１９】
【表２】
2005204566.tif 000003
【００２０】
以下に上記表２中の注１〜注３の内容を示す。
注１．窒素・たんぱく質換算係数：６．２５
注２．栄養表示基準（平成８年厚生省告示第１４６号）による計算式：１００        −（水分＋たんぱく質＋脂質＋灰分＋植物繊維）
注３．栄養表示基準（平成８年厚生省告示第１４６号）によるエネルギー換算        係数：たんぱく質，４：脂質，９：糖質，４
【実施例２】
【００２１】
本発明の第２の実施例は、猫用の動物用栄養補助食品（例えば５０ｇ）であって、田七人参根が５重量％、ラカンカ（羅漢果）が５重量％、カツオ節末が２０重量％、イワシ末が２０重量％含有し、それ等に水分、植物繊維等を混ぜたものである。
それに用いた田七人参根は、上記第１の実施例の動物用栄養補助食品の田七人参根と同じであり、従って、その分析試験結果は表１に示したとおりである。
【００２２】
このような動物用栄養補助食品は、猫の種類、大きさによって異なるが、概ね、毎食時専用スプーン一杯位与え続けると、一月５０ｇ消費されれ、それが一般的に適量と言える。
そのように与えたら、抗ガン作用、血液浄化、皮膚病治癒効果、便通改善効果を得ることができた。これは、人参サポニン（ジンセノサイドＲｂ１換算５．０ｇ／１００ｇ、ジンセノサイドＲｇ１換算５．０ｇ／１００ｇ、合計１０．０ｇ／１００ｇ）によることが明白である。 
【００２３】
そして、カツオ節末（２０重量％）を含有させたので、猫の食欲をそそり、猫に対する栄養補強効果が強いので、猫用として好適である。更に、イワシ末（２０重量％）を含有させたので、猫に対する栄養補強効果より強くすることができた。具体的には、そのカツオ節末やいわし末中に含まれるカルシウムにより骨を強化することができた。
また、ラカンカ[（羅漢果）５重量％]を含有させたので、糖尿病治癒或いは予防効果を得ることができた。
【００２４】
尚、上記の犬用の栄養補助食品を猫に与えても、逆に上記の猫用の栄養補助食品を犬に与えても害があるわけではなく、大きな栄養補強効果が得られるが、犬用は犬に、猫用は猫に与える方が、食欲をそそり、また、栄養補助食品の栄養補強効果が強く、また、栄養補助食品をおいしく食するので好ましいと言える。
また、上記犬用栄養補助食品及び猫用栄養補助食品は、豚等犬、猫以外の動物にも栄養補強効果が得られることが確認されている。
【産業上の利用可能性】
【００２５】
本発明は、主として犬或いは猫等のペット用の栄養補助食品について利用可能性が強いが、例えば豚等、犬、猫以外の動物にも利用可能性がある。